(57)【要約】  【課題】  美観を損なうことなく、また、銀イオン溶出ユニットが損傷するおそれのない水道用コンセントおよび銀イオン水および／または浄水供給装置を提供すること。  【解決手段】  吐水機能の他に、銀イオン発生機能および／または浄水機能を有する。【選択図】    図３
2006083656.tif 000002
【特許請求の範囲】
【請求項１】
吐水機能の他に、銀イオン発生機能および／または浄水機能を有することを特徴とする水道用コンセント。
【請求項２】
銀イオン発生機能が、銀イオンの溶け込んだ水を用いて対象物を除菌・防臭コートするために、水中に銀イオンを発生させるものである請求項１に記載の水道用コンセント。
【請求項３】
浄水機能が、水中の塩素イオンを除去するものである請求項１に記載の水道用コンセント。
【請求項４】
配管に接続された状態で壁面に設けられる請求項１〜請求項３のいずれかに記載の水道用コンセント。
【請求項５】
壁内部の配管に接続されている請求項４に記載の水道用コンセント。
【請求項６】
配管に接続された状態で床面に設けられる請求項１〜請求項３のいずれかに記載の水道用コンセント。
【請求項７】
水栓が取り付けられた流し台におけるシンク以外の部分に設けられる請求項１〜請求項３のいずれかに記載の水道用コンセント。
【請求項８】
流し台の直下に位置する配管に接続されている請求項７に記載の水道用コンセント。
【請求項９】
給水用水栓に接続された状態で壁面に設けられる請求項１〜請求項３のいずれかに記載の水道用コンセント。
【請求項１０】
原水流路と銀イオン溶出流路を切り換える切換弁を備えている請求項１〜請求項９のいずれかに記載の水道用コンセント。
【請求項１１】
原水流路と浄水流路を切り換える切換弁を備えている請求項１〜請求項９のいずれかに記載の水道用コンセント。
【請求項１２】
壁、床あるいはパネルなどに設けたカバーの裏側において、水栓本体と銀イオン発生手段および／または浄水手段とを接続した状態で設け、銀イオン発生手段および／または浄水手段および水栓本体を経て供給される銀イオンが溶け込んだ水および／または浄水を吐水口から取り出すように構成されていることを特徴とする銀イオン水および／または浄水供給装置。
【請求項１３】
カバーの表面が壁、床あるいはパネルなどの表面と面一になるよう構成されている請求項１２に記載の銀イオン水および／または浄水供給装置。
【請求項１４】
カバーの表面が壁、床あるいはパネルなどの表面より前面側に突出するよう構成されている請求項１２に記載の銀イオン水および／または浄水供給装置。
【請求項１５】
吐水口がカバーの裏側に配置されている請求項１２〜請求項１４のいずれかに記載の銀イオン水および／または浄水供給装置。
【請求項１６】
吐水口がカバー表面から外側に突出している請求項１２〜請求項１４のいずれかに記載の銀イオン水および／または浄水供給装置。
【請求項１７】
壁、床あるいはパネルなどに設けた凹所内において、水栓本体と銀イオン発生手段および／または浄水手段とを接続した状態で設け、銀イオン発生手段および／または浄水手段および水栓本体を経て供給される銀イオンが溶け込んだ水および／または浄水を吐水口から取り出すように構成されていることを特徴とする銀イオン水および／または浄水供給装置。
【請求項１８】
吐水口が凹所内に配置されている請求項１７に記載の銀イオン水および／または浄水供給装置。
【請求項１９】
吐水口が凹所から外側に突出している請求項１７に記載の銀イオン水および／または浄水供給装置。
【発明の詳細な説明】
【技術分野】
【０００１】
この発明は、水道用コンセントおよび銀イオン水および／または浄水供給装置に関するものである。
【背景技術】
【０００２】
洗濯した直後は清潔な衣類でも、干している間や着ている間に雑菌が繁殖して、イヤな臭いの原因になることから、洗ってすすぐだけで衣類を除菌・防臭コートするために、洗濯機に供給する水に銀イオン（Ａｇ+ ）を溶け込ますよう構成された銀イオン溶出ユニットが下記特許文献１に提案されている。
【０００３】
すなわち、図５に示すように、銀イオン溶出ユニット６０は、洗濯物の抗菌処理のため水に銀イオンを溶出するものであって、カートリッジ形状をなし、その下流端が洗濯機６１側の接続管６２のソケット部６２ａにねじ込んで取り付けられている。銀イオン溶出ユニット６０の上流端には、洗濯機６１の給水ホース６３を接続するソケット部６４が設けられている。
【０００４】
しかし、給水ホース６３と洗濯機６１間に露出した状態で設けられており、洗濯機６１に下流端が固定されているものの見栄えが悪かった。また、物が当たったりして銀イオン溶出ユニット６０が損傷するおそれもあった。また、銀イオン溶出ユニット６０の交換作業が煩雑になるおそれがあった。このようなことは、銀イオン溶出ユニット６０が露出した宙ぶらりの状態で、壁に取り付けた水栓と洗濯機の給水ホース間に設けられている場合にも起こりうる。
【０００５】
一方、洗濯機への給水用水栓として、下記特許文献２に記載されている水道用コンセント６５がある。すなわち、図６に示すように、この水道用コンセント６５は、内部に給水配管が取り付けられた例えば洗面室の壁６６に、止水機能および流量調整機能を持つ操作部材６７と、吐水口として機能する簡易着脱機構の継手６８とを有する水栓本体６９を設け、洗面台７０に隣接して設置された洗濯機６１の給水ホース６３の下流端に設けた継手７１を水道用コンセント６５の前記継手６８に着脱自在に接続するように構成されている。そして、前記水道用コンセント６５は、水栓本体６９の水流入口に前記給水配管から分岐された分岐給水配管７２が接続され、前記水栓本体６９の水流出口に前記簡易着脱機構の継手６８が接続されており、洗面台７０に設けられている水栓７３自体に給水ホース６３への分岐機構７４（図７参照）を設けることなく洗濯機６１へ水を供給できるものである。しかも、水道用コンセント６５は、壁６６に水栓本体６９を設けて構成されているので、壁面からの前出しが少なく、省スペース化を図ることができるとともに、カバー７４を設けることで、操作部材６７と吐水口６８のみならず、水栓本体６９も不使用時には覆い隠すことができて美観を損なうことなく、また、これら部材６７，６８，６９が損傷するおそれがないといった数々のメリットを有するものである。
【特許文献１】特開２００４−５７８５５号公報
【特許文献２】特開２０００−２８２５２４号公報
【発明の開示】
【発明が解決しようとする課題】
【０００６】
ところで、吐水機能の他に、銀イオン発生機能を有する水道用コンセントはなかった。
【０００７】
この発明は、上述の事柄に留意してなされたもので、その目的は、美観を損なうことなく、また、銀イオン溶出ユニットが損傷するおそれのない水道用コンセントおよび銀イオン水および／または浄水供給装置を提供することである。
【課題を解決するための手段】
【０００８】
上記課題を解決するために、この発明の水道用コンセントは、吐水機能の他に、銀イオン発生機能および／または浄水機能を有することを特徴とする（請求項１）。
【０００９】
また、この発明は別の観点から、壁、床あるいはパネルなどに設けたカバーの裏側において、水栓本体と銀イオン発生手段および／または浄水手段とを接続した状態で設け、銀イオン発生手段および／または浄水手段および水栓本体を経て供給される銀イオンが溶け込んだ水および／または浄水を吐水口から取り出すように構成されていることを特徴とする銀イオン水および／または浄水供給装置を提供する（請求項１２）。
【００１０】
また、この発明はさらに別の観点から、壁、床あるいはパネルなどに設けた凹所内において、水栓本体と銀イオン発生手段および／または浄水手段とを接続した状態で設け、銀イオン発生手段および／または浄水手段および水栓本体を経て供給される銀イオンが溶け込んだ水および／または浄水を吐水口から取り出すように構成されていることを特徴とする銀イオン水および／または浄水供給装置を提供する（請求項１７）。
【発明の効果】
【００１１】
この発明では、吐水機能の他に、銀イオン発生機能および／または浄水機能を有するので、既設の水栓に代えて設置すると、省スペース化を図ることができるとともに、銀イオン発生手段および／または浄水発生手段をオプションとして備えていない洗濯機にも使用できる上に、美観を損なうことなく、また、銀イオン発生手段および／または浄水発生手段が損傷するおそれがない状態で、抗菌処理および／または泡立ちの良好な洗濯が行える。さらには、銀イオン発生手段および／または浄水発生手段の交換作業を簡易にでき、メンテナンスが楽であるといったメリットもある。
【発明を実施するための最良の形態】
【００１２】
以下、この発明の実施形態を、図を参照しながら説明する。なお、それによってこの発明は限定されるものではない。図１〜図３は、壁に設けたカバーの裏側において、水栓本体と銀イオン発生手段および／または浄水手段とを接続した状態で設け、銀イオン発生手段および／または浄水手段および水栓本体を経て供給される銀イオンが溶け込んだ水および／または浄水を吐水口から取り出すように構成したこの発明の第１の実施の形態を示す。
【００１３】
図１〜図３において、１は、例えば洗面室の壁２に形成された開口３に所定の取り付け手段で固定設置される水道用コンセントで、吐水機能の他に、銀イオン発生機能を有する。この水道用コンセント１は、主として洗濯用の給水に使われる。４は、水道用コンセント１の近傍に設置される洗濯機で、給水ホース４ａの上流端に簡易着脱機構の継手５が設けられている。水道用コンセント１の外形は箱状で、平面視縦長の長方形の前方開口６を有する薄型のケース７と、前方開口６を覆うケースカバー８とで構成される。ケースカバー８は正面向かって左半分の上部に平面視長方形の切欠き９を有するとともに、左半分の下部に原水流路と銀イオン溶出流路を切り換えるためのつまみ１０が設けられる開口１１を有し、正面向かって右半分の上から順に三つの開口１２，１３，１４を有する。上の開口１２には、銀イオンの濃度を調整できるよう後述する電極２５，２６への印加電圧を可変にできるつまみ１５が設けられる。下の開口１４には、吐水口として機能し、給水ホースに設けた前記継手５が接続可能な簡易着脱機構の継手１６が設けられる。この実施の形態では、継手（吐水口）１６がケースカバー８の表面８ａから外側に突出している。また、中間の開口１３には、原水または銀イオンの溶け込んだ水の止水および流量調整を行うつまみ１７が設けられる。なお、切り換え用の前記つまみ１０には後述する分岐給水配管２３を流れ水栓本体２０の水流入口から流入する原水を止水する機能はない。１８はカートリッジ形状をなす銀イオン溶出ユニット１９またはカートリッジ形状をなす後述する浄水ユニット４１を長手方向を垂直方向に沿わせる形で直立の状態で設置するための設置台で、ケース７をケースカバー８で覆ったときにケースカバー８の表面８ａから前方に突出するようケース７内に設けた水栓本体２０と一体に形成されている。また、２１はヒンジ２２付きの開閉扉で、ケース７に形成した切欠き９を覆う位置でケース７にヒンジ２２を介して設けられており、使用状態において設置台１８に設置された銀イオン溶出ユニット１９（図３において二点鎖線で示す）を覆う。
【００１４】
前記分岐給水配管２３は給水配管から分岐され、水栓本体２０の水流入口に接続される。分岐給水配管２３は洗面室の壁２の背面側に設置されている。そして、壁２の背面側で分岐給水配管２３に水栓本体２０の水流入口が接続されるとともに、ケースカバー８の表面８ａが壁２の表面２ａと面一になった状態で、前記水道用コンセント１は壁２に形成された開口３に取り付けられる。
【００１５】
前記銀イオン溶出ユニット１９は、銀からなる一対の板状の電極２５，２６を有底筒状のケース２４内部に有する。ケース２４の内部においては、電極２５，２６の長手方向に平行に原水が流れ、原水が存在する状態で電極２５，２６に電圧を印加すると電極２５，２６の陽極側から銀イオンが溶出するように構成されている。この場合、つまみ１５を操作することによりつまみ１５に連動して作動する濃度調整部材２７を介して、所望の銀イオン濃度を得ることができる。２４’は銀イオン溶出ユニット１９の保持部で、設置台１８に設けた雄ねじ１８ａに螺合する雌ねじを有する。
【００１６】
前記水栓本体２０は、原水または銀イオンの溶け込んだ水の止水および流量調整を行うつまみ１７の操作に連動して開閉するバルブ２８ａを内蔵するケースを収容する収容部２８と、濃度調整部材２７が収容される収容部２９と、原水流路と銀イオン溶出流路を切り換えるつまみ１０の操作に連動して開閉するバルブ３０ａを内蔵するケースを収容する収容部３０とを備えている。２４ａおよび２７ａはそれぞれ電極２５，２６および濃度調整部材２７を接続するために銀イオン溶出ユニット１９側および濃度調整部材２７側に設けたリード線である。バルブ３０ａは、銀イオン溶出モードに切り換えられると、バルブ３０ａを通る原水が銀イオン溶出ユニット１９のケース２４内に入り、銀イオンが溶け込んだ水がバルブ３０ａを通ってバルブ２８ａ側に流出するよう、また、原水モードに切り換えられると、バルブ３０ａを通る原水がバルブ２８ａ側に流出するように構成されている。
【００１７】
３１はバルブ３０ａに至る前の原水の流路、３２は設置台１８の銀イオン溶出ユニット当接面に設けた第１の原水導入口３９から、銀イオン溶出モードに切り換えられたバルブ３０ａを通り銀イオン溶出ユニット１９のケース２４内に流入する原水の流路、３３は銀イオン溶出モードにおいて銀イオンが溶出する流路、３４は銀イオン溶出モードにおいて銀イオンが溶け込んだ水が流れる流路、３５は銀イオン溶出モードに切り換えられたバルブ３０ａを銀イオンが溶け込んだ水が通りバルブ２８ａ側に流出する流路、３６はバルブ２８ａによって流量調整された、銀イオンが溶け込んだ水が洗濯機４の給水ホース４ａを流れる流路、３７は設置台１８の銀イオン溶出ユニット当接面に設けた第２の原水導入口４０から、原水モードに切り換えられたバルブ３０ａを原水が通りバルブ２８ａ側に流出する流路、３８はバルブ２８ａによって流量調整された原水が洗濯機４の給水ホース４ａを流れる流路である。
【００１８】
前記浄水ユニット４１は外形が銀イオン溶出ユニット１９の外形と略同じに形成されており、有底筒状のケース４２内部に原水中の主として塩素イオンを除去する活性炭カートリッジ４３が収容されている。４４は浄水ユニット４１の保持部で、設置台１８に設けた雄ねじ１８ａに螺合する雌ねじを有する。そして、浄水ユニット４１内の流路は、上述した銀イオン溶出ユニット１９における流路のうち電極２５，２６を流れる流路３３が活性炭を流れる流路３３’に変更され、銀イオンが溶け込んだ水が流れる流路３４，３５が塩素イオンが除去された水が流れる流路３４’，３５’に変更され、バルブ２８ａによって流量調整された、銀イオンが溶け込んだ水が流れる流路３６が、バルブ２８ａによって流量調整された、塩素イオンが除去された水が流れる流路３６’に変更されるだけの違いである。
【００１９】
而して、銀イオン溶出ユニット１９を設置台１８にセットした場合、つまみ１０を原水モードにセットすると、流路３１および３７をこの順で通り、さらにバルブ２８ａを介して流路３８を通った原水が洗濯機４に給水される。また、つまみ１０が原水モードから銀イオン溶出モードに切り換えられると、流路３１、３２、３３、３４および３５をこの順で通り、さらにバルブ２８ａを介して流路３６を通った銀イオンが溶け込んだ水が洗濯機４に給水される。
【００２０】
一方、銀イオン溶出ユニット１９を設置台１８から取り外し、浄水ユニット４１を設置台１８にセットした場合、つまみ１０を原水モードにセットすると、流路３１および３７をこの順で通り、さらにバルブ２８ａを介して流路３８を通った原水が洗濯機４に給水される。また、つまみ１０が原水モードから浄水モードに切り換えられると、流路３１、３２、３３’、３４’および３５’をこの順で通り、さらにバルブ２８ａを介して流路３６’を通った塩素イオンが除去された水が洗濯機４に給水される。
【００２１】
図４は、壁に設けたカバーの裏側において、水栓本体と銀イオン発生手段および／または浄水手段とを接続した状態で設け、銀イオン発生手段および／または浄水手段および水栓本体を経て供給される銀イオンが溶け込んだ水および／または浄水を吐水口から取り出すように構成するとともに、給水用水栓に接続された状態で壁面に設けられるこの発明の第２の実施の形態を示す。なお、図４において、図１〜図３で用いた符号と同一のものは同一または相当物である。
【００２２】
図４において、５０は、洗面室の壁２に設けた既設の給水用水栓である。そして、この水栓５０は水栓本体２０の水流入口にホース５１を介して接続されている。この実施の形態では、ケースカバー８の表面８ａが壁２の表面２ａより前面側に突出する状態で、前記水道用コンセント１は壁２に形成された開口３に取り付けられる。また、継手（吐水口）１６がケースカバー８の表面８ａから外側に突出している。
【００２３】
なお、上記二つの実施の形態では吐水機能の他に、銀イオン発生機能と浄水機能を兼用している一つの水道用コンセント１を示したが、吐水機能の他に、銀イオン発生機能のみを有する水道用コンセントと、吐水機能の他に、浄水機能のみを有する水道用コンセントを別々に設けてもよい。
【００２４】
また、この発明では、銀イオン溶出ユニット、浄水ユニット以外に水溶性の洗濯用洗剤が収容されたカートリッジよりなる洗剤ユニットも設置台１８にセットできる。
【図面の簡単な説明】
【００２５】
【図１】この発明の第１の実施の形態における使用状態を示す一部透視図を含む斜視図である。
【図２】上記実施の形態における流路を示す構成説明図である。
【図３】上記実施の形態における一部透視図を含む分解斜視図である。
【図４】この発明の第２の実施の形態を示す斜視図である。
【図５】従来例を示す要部構成説明図である。
【図６】一般的な水道用コンセントの使用状態を示す斜視図である。
【図７】洗面台に設けられている水栓自体に洗濯機の給水ホースへの分岐機構を設けた例を示す斜視図である。
【符号の説明】
【００２６】
１              水道用コンセント
１６            吐水口
１９            銀イオン溶出ユニット
４１            浄水ユニット
【図１】
2006083656.tif 000003
【図２】
2006083656.tif 000004
【図３】
2006083656.tif 000005
【図４】
2006083656.tif 000006
【図５】
2006083656.tif 000007
【図６】
2006083656.tif 000008
【図７】
2006083656.tif 000009